(57)【要約】【課題】杖を使用する人の所在を周りに確実に知らしめると共に、杖の使用者の安全を多面的に保持できる安全杖を提供する。【解決手段】杖を使用する人の所在を周りに知らせるための機能を備えた安全杖において、安全杖７０は、パイプ状本体部１０と、該パイプ状本体部１０の上部の把手部４０とから構成され、前記パイプ状本体部１０は、上部の大径部１１と下部の小径部２０とから構成され、前記パイプ状本体部１０の長さを調節する長さ調節手段３０を備え、前記大径部１１は、透明性の素材で形成され、複数の発光ダイオードによる光の点滅が視認可能な複数の発光部１２を備え、前記小径部２０は、足元照明２１を備え、また、前記把手部４０には、前記発光ダイオードと前記足元照明２１の電源の電池４１が収容され、さらに、安全ブザー４５を前記パイプ状本体部１０又は前記把手部４０に備えてなる。【選択図】図１
0003127788.tif 000002
【実用新案登録請求の範囲】
【請求項１】
杖を使用する人の所在を周りに知らせるための機能を備えた安全杖において、安全杖は、パイプ状本体部と、該パイプ状本体部の上部の把手部とから構成され、前記パイプ状本体部は、上部の大径部と下部の小径部とから構成され、前記パイプ状本体部の長さを調節する長さ調節手段を備え、前記大径部は、透明性の素材で形成され、複数の発光ダイオードによる光の点滅が視認可能な複数の発光部を備え、前記小径部は、足元照明を備え、また、前記把手部には、前記発光ダイオードと前記足元照明の電源の電池が収容され、さらに、安全ブザーを前記パイプ状本体部又は前記把手部に備えてなることを特徴とする安全杖。
【請求項２】
長さ調節手段は、大径部に形成される四角形状の係止孔と、大径部内に収容され上下動可能な小径部に形成されるバネの付勢力で進退自在な断面が四角形状の係止突起とから構成されてなることを特徴とする請求項１に記載の安全杖。
【考案の詳細な説明】
【技術分野】
【０００１】
本考案は、杖に関し、詳細には、杖を使用する人の所在を周りに知らせるための機能を備えた安全杖に関する。
【背景技術】
【０００２】
未曾有の高齢化社会の到来により、歩行に際し杖の助けを必要とする人の増加が予想される。歩行に杖を必要とする人は、健常者のように自在に動けないので、夜間のような暗がりでの歩行中に自動車や自転車などによる交通事故等に遭遇する危険性がある。また、杖を使用する人は、急に体調を崩す緊急の事態も想定される。そのため、従来、杖の使用者の所在を周りに知らせるための機能を備えた安全杖が提供されている。このような安全杖には、発光ダイオードの発光により杖の使用者の所在を知らせるように構成されたものが多数あり、例えば、歩行補助具としての杖のグリップに電源としての電池ケースを装着し、杖の下部に高輝度発光ダイオードによる発光源を光拡散剤にて拡散させた面発光状の発光部を点滅さすものとし、昼間の発光不要のときはスイッチを切って電池の無駄づかいを防ぎ、電池の交換を必要とした場合は電池交換を行い、発光部には手に持った時のみ発光する振動センサーを組み込み、杖を必要とする交通弱者用に考えた発光安全杖（特許文献１参照）や、杖本体を筒状となすと共に、その凡そ半分以下となる箇所の前面側へ、超高輝度ダイオードの白色光源体を、一方その後面側には赤色光源体を点滅状態に取付け、他方使用電池は杖本体下端から装填して出入自在になすほか、操作用スイッチは杖本体上端の把手部に取付けた構成を特徴とする杖（特許文献２参照）がある。
【０００３】
【特許文献１】特開平１１−２９９５１８号公報
【特許文献２】特開２００２−１１９３１５号公報
【考案の開示】
【考案が解決しようとする課題】
【０００４】
しかし、従来、上記の安全杖を含め、複数の発光ダイオードによる光の点滅をどの方向からも視認可能な複数の発光部を備え、かつ足元照明と安全ブザーをも備えた安全杖に関する提案はない。
【０００５】
本考案は、上記の事情に鑑みなされたもので、杖を使用する人の所在を周りに確実に知らしめると共に、杖の使用者の安全を多面的に保持できる安全杖を提供することを課題とする。
【課題を解決するための手段】
【０００６】
上記の課題を解決する請求項１に記載の考案は、杖を使用する人の所在を周りに知らせるための機能を備えた安全杖において、安全杖は、パイプ状本体部と、該パイプ状本体部の上部の把手部とから構成され、前記パイプ状本体部は、上部の大径部と下部の小径部とから構成され、前記パイプ状本体部の長さを調節する長さ調節手段を備え、前記大径部は、透明性の素材で形成され、複数の発光ダイオードによる光の点滅が視認可能な複数の発光部を備え、前記小径部は、足元照明を備え、また、前記把手部には、前記発光ダイオードと前記足元照明の電源の電池が収容され、さらに、安全ブザーを前記パイプ状本体部又は前記把手部に備えてなることを特徴とする安全杖を要旨とする。
【０００７】
上記の構成により、複数の発光ダイオードの点滅が安全杖のどの方向からも視認が可能となり、足元照明とともに、安全杖の使用者の歩行を安全を保持できる。また、安全ブザーにより、使用者の緊急時の対応を可能とする。さらに、杖を使用する人の背丈に応じて、杖を使い易い長さに簡単に設定できる。
【０００８】
請求項２に記載の考案は、上記の考案において、長さ調節手段が、大径部に形成される四角形状の係止孔と、大径部内に収容され上下動可能な小径部に形成されるバネの付勢力で進退自在な断面が四角形状の係止突起とから構成される安全杖を要旨とする。この構成により、大径部と小径部の間のガタツキを抑制できる。
【考案の効果】
【０００９】
請求項１に記載の考案は、杖の使用者の所在を周りに確実に知らせることができ、杖の使用者の安全を多面的に保持できる。また、杖を使用する人の背丈に拘わらず使用でき、使い勝手に優れる。
【００１０】
請求項２に記載の考案は、上記の効果に加え、杖の長さの調節が大径部と小径部の間のガタツキを抑制した状態で可能となる。  
【考案を実施するための最良の形態】
【００１１】
以下、本考案を図面を参照しながら、実施の形態により詳細に説明する。図１は、安全杖の正面図、図２は図１のＡ−Ａ’部拡大正面図、図３は図１のＡ−Ａ’部拡大底面図、図４は長さ調節手段を拡大した説明図、図５は足元照明を拡大した説明図、図６は把手部の拡大断面図である。
【００１２】
パイプ状本体部１０は、ステンレス、アルミニウム、アルミ合金などの、剛性と軽量性を備えた素材からなるパイプ体により形成され、図１に示すように、上部の大径部１１と大径部１１内に上下動可能に収容される下部の小径部２０とから構成される。大径部１１には、２箇所に発光部１２が形成されている。各々の発光部１２は、図１〜図３に示すように、アクリル樹脂やガラスなどの、透明性の素材からなるパイプ状の透明部１３と該透明部１３内に設けられる発光ダイオード１４、１５、１６を備えたプリント基板１７とから構成されている。発光ダイオード１４、１５、１６は、異なる３色から構成され、それぞれが交互に点滅するようになっている。発光ダイオード１４、１５、１６による光の点滅は、透明性の素材で形成される透明部１３を介して、安全杖７０の前方からは勿論のこと、どの方向からも視認でき、安全杖７０の使用者の所在を確実に周りに知らせることができる。透明部１３は、その上下が大径部１１に固定されている。
【００１３】
小径部２０は、長さ調節手段３０を介して大径部１１に取り付けられ、パイプ状本体部１０の長さの調節ができるようになっている。すなわち、図１及び図４に示すように、大径部１１の下部には、四角形状の複数の係止孔３１が穿孔され、小径部２０の上部にはバネ３３により付勢された断面が四角形状の係止突起３２が形成されている。大径部１１内に収容された小径部２０を上下動させ、所望の位置の係止孔３１に係止突起３２を嵌め入れることにより小径部２０を大径部１１に固定できるので、パイプ状本体部１０の長さの調整が可能となる。本実施形態の安全杖７０の長さ調節手段３０は、四角形状の係止孔３１に断面が四角形状の係止突起３２を嵌め入れる構成であるため、一般的に使用される円形の係止孔にボール状の係止突起を嵌め入れる構成に比べ、大径部１１と小径部２０の間の動きが強く規制され、両者間のガタツキを抑制できるようになっている。
【００１４】
小径部２０の下端近傍には、図１及び図５に示すように、足元照明２１が形成されている。足元照明２１は、小径部２０内にシリコン樹脂で形成された固定具２２内に豆電球２３が埋設され、水が小径部２０に浸入しないように構成されている。また、小径部２０には、下端に石突２５が形成されている。
【００１５】
把手部４０は、パイプ状本体部１０の上部に固定されている。把手部４０内には、図６に示すように、発光部１２の発光ダイオード１４、１５、１６と足元照明２１の豆電球２３の電源となる電池４１が収容されている。また、把手部４０の上面には、スイッチ４２が形成され、ON・OFFにより発光ダイオード１４、１５、１６の点滅、豆電球２３の点灯を操作できるようになっている。
【００１６】
また、把手部４０には、図１に示すように、安全ブザー４５が取り付けられている。安全ブザー４５は、市販の構成のものであり、その内部に図示しない電池と該電池で作動するブザーが電気回路で接続されている。安全ブザー４５に接続されるコード４７の一端は、安全ブザー４５内の電気回路に接続され、他端は把手部４０の差込口４３に差し込まれている。差込口４３は、把手部４０のスイッチ４４に接続されているので、スイッチ４４の操作で安全ブザー４５を作動でき、また、安全ブザー４５の本体にも、安全ブザー４５を操作するスイッチ４９が形成され、このスイッチ４９の操作でも安全ブザー４５を作動できる。
【００１７】
本考案は、その技術的範囲に属する限り、種々形態を変更して具体化できるので、以下に例示する。
（１）発光部は、２箇所に限定されず、３箇所以上設けてもよい。
（２）小型化した安全ブザーを把手部に内蔵する構成としてもよい。この場合、安全ブザーの電源を把手部に収容される電池とできる。
【図面の簡単な説明】
【００１８】
【図１】安全杖の正面図である。
【図２】図１のＡ−Ａ’部拡大正面図である。
【図３】図１のＡ−Ａ’部拡大底面図である。
【図４】パイプ状本体部の長さ調節手段を拡大した説明図である。
【図５】小径部の足元照明を拡大した説明図である。
【図６】把手部の拡大断面図である。
【符号の説明】
【００１９】
１０              パイプ状本体部
１１              大径部
１２              発光部
１３              透明部
１４、１５、１６  発光ダイオード
１７              プリント基板    
２０              小径部
２１              足元照明
３０              長さ調節手段
３１              係止孔
３２              係止突起
４０              把手部
４１              電池
４２、４４、４９  スイッチ
４５              安全ブザー
７０              安全杖
【図１】
0003127788.tif 000003
【図２】
0003127788.tif 000004
【図３】
0003127788.tif 000005
【図４】
0003127788.tif 000006
【図５】
0003127788.tif 000007
【図６】
0003127788.tif 000008